(57)【要約】      （修正有）【課題】ニュートンリング等の発生を抑制する。【解決手段】表示装置は、前面パネル、透明パネル１５、映像表示ユニットがこの順で配置され、前記映像表示ユニットの画面を前記前面パネルおよび前記透明パネルを通して視認可能な表示装置であって、前記前面パネルと前記透明パネルとの間に空間が形成されるとともに、該空間の一部に隙間が設けられることにより、前記空間の内部と外部とが通気可能となっていることを特徴とする。【選択図】図６
2020160150.tif 000002
【特許請求の範囲】
【請求項１】
前面パネル、透明パネル、映像表示ユニットがこの順で配置され、前記映像表示ユニットの画面を前記前面パネルおよび前記透明パネルを通して視認可能な表示装置であって、
前記前面パネルと前記透明パネルとの間に空間が形成されるとともに、該空間の一部に隙間が設けられることにより、前記空間の内部と外部とが通気可能となっていることを特徴とする表示装置。
【請求項２】
前記隙間は、前記前面パネルと前記透明パネルの間に複数個所に設けられていることを特徴とする請求項１に記載の表示装置。
【請求項３】
前記透明パネルおよび前記前面パネルは矩形であり、前記隙間は前記前面パネルと前記透明パネルの当該矩形の角部に設けられていることを特徴とする請求項１または２に記載の表示装置。
【請求項４】
前記前面パネルと前記透明パネルの前記隙間は、前記矩形の４隅に設けられていることを特徴とする請求項３に記載の表示装置。
【請求項５】
前記前面パネルと前記透明パネルとの間の空間は、前記前面パネルと前記透明パネルとスペーサとで形成されていることを特徴とする請求項１〜４のいずれか１項に記載の表示装置。
【請求項６】
前記スペーサの一部は粘着性を有することを特徴とする請求項５に記載の表示装置。
【請求項７】
前記透明パネルおよび前記前面パネルは矩形であり、前記スペーサは、前記透明パネルの辺に沿って配置されており、４辺のうちの１辺に沿って配置されている前記スペーサのみ粘着性を有することを特徴とする請求項５または６に記載の表示装置。
【請求項８】
前記透明パネルは、所定の方向に湾曲し易い性質を有しており、
前記透明パネルは、前記湾曲により凸形状となる方向が前記前面パネル側となるように配置されていることを特徴とする請求項１〜７のいずれか１項に記載の表示装置。
【発明の詳細な説明】
【技術分野】
【０００１】
本発明は、防水機能を有する表示装置に関する。
【背景技術】
【０００２】
近年、浴室内にテレビジョンを設置しているマンション、家屋が増えてきている。浴室は、一般的な部屋よりも湿度が高く、浴室内にテレビジョンを設置するためには様々な工夫が必要となる。
【０００３】
そこで、例えば、特許文献１には、透明パネルの内側で且つ映像表示ユニットの前側に、透明パネルと適宜の距離を隔てて透明フィルムを張設すると共に、透明パネルと透明フィルムとで挟まれる空間を密閉空間とした映像装置が記載されている。
【先行技術文献】
【特許文献】
【０００４】
【特許文献１】特開２００７−１７１５３８号公報（２００７年７月５日公開）
【発明の概要】
【発明が解決しようとする課題】
【０００５】
しかしながら、上述のような従来技術は以下の問題がある。特許文献１に記載された構造では、透明パネルと透明フィルムとで挟まれる空間が密閉されている。浴室内は、温度や湿度の変化が激しいため、この密閉された空間の内部と外部との間の気圧差や温度差が生じやすい。これにより密閉された空間が膨張収縮し、透明パネルと透明フィルムとの前後方向の間隔や、透明フィルムと液晶パネルとの前後方向の間隔を維持できない可能性がある。間隔が維持できない場合、透明パネルと透明フィルム、あるいは透明フィルムと液晶パネルシートが接触し、ニュートンリングが発生してしまうという問題が生じる。
【０００６】
本発明の一態様は、上記の問題に鑑みてなされたものであり、その目的は、ニュートンリング等の発生を抑制できる表示装置を実現することにある。
【課題を解決するための手段】
【０００７】
上記の課題を解決するために、本発明の一態様に係る表示装置は、前面パネル、透明パネル、映像表示ユニットがこの順で配置され、前記映像表示ユニットの画面を前記前面パネルおよび前記透明パネルを通して視認可能な表示装置であって、前記前面パネルと前記透明パネルとの間に空間が形成されるとともに、該空間の一部に隙間が設けられることにより、前記空間の内部と外部とが通気可能となっていることを特徴としている。
【発明の効果】
【０００８】
本発明の一態様によれば、空間の内外で温度差、気圧差が生じることにより透明パネルが撓むということを抑制でき、透明パネルが撓むことによる弊害、例えば、映像表示ユニットと透明パネルとが接触し、ニュートンリングが生じてしまう等の弊害を抑制することができるという効果を奏する。
【図面の簡単な説明】
【０００９】
【図１】本発明の実施形態に係る表示装置を斜め前面から見た斜視図である。
【図２】上記表示装置の後面に表示装置を壁に取り付けるためのベース板が取付けられている状態を斜め後面から見た斜視図である。
【図３】上記表示装置の構造を示す分解図である。
【図４】上記表示装置をＸ方向から見た断面図である。
【図５】上記表示装置の枠体を前面パネル側から見た図である。
【図６】（ａ）〜（ｄ）は、スペーサの取付例を示す図である。
【図７】（ａ）、（ｂ）は、スペーサの特徴、およびその効果を説明するための図である。
【図８】（ａ）、（ｂ）は、透明パネルが湾曲し易い方向と透明パネルの設置方向とを説明するための図である。
【図９】ベース板および表示装置の後面を示す斜視図である。
【図１０】上記ベース板のＸで示す領域を＋Ｚ方向から見た図である。
【図１１】表示装置の係合部、およびベース板の係合形状を説明するための図である。
【図１２】上記係合部および上記係合形状の形状を説明するための図である。
【図１３】（ａ）〜（ｃ）は、上記係合部と上記係合形状とより掛止できる理由を説明するための図である。
【図１４】ベース側凸部の長手方向の長さについて説明するための図である。
【発明を実施するための形態】
【００１０】
〔表示装置の概要〕
本実施形態に係る表示装置１は、浴室等の壁に設置される防水機能を有するテレビジョンを想定している。なお、表示装置１に対する操作（音量調整、画質調整、選局、電源のオン・オフ等）、表示を行うための構成、防水のための構造等は、公知の技術を用いて可能であるので、ここではその説明は省略する。
【００１１】
〔表示装置の構造〕
〔外観〕
まず、図１および図２を参照して表示装置１の外観について説明する。図１は、表示装置１を斜め前面から見た斜視図である。また、図２は、表示装置１の後面に表示装置１を壁に取り付けるためのベース板２０が取付けられている状態を斜め後面から見た斜視図である。
【００１２】
詳細な構造は後述するが、図１に示すように、表示装置１は、前面に前面パネル１１が備え付けられ、周囲は枠体１３で構成されている。また、図２に示すように、表示装置１の後面には、ベース板２０が取り付け可能となっており、壁に固定されたベース板２０に表示装置１を取り付けることにより、表示装置１を壁に取り付けることが可能となる。また、後面の中央部は、図示しない外部のアンテナや電源等と接続するためのコード類を通すための貫通孔が形成されている。
【００１３】
ベース板２０を壁に取り付ける方法は、どのような方法であってよいが、例えば、ベース板２０の４隅を壁面にビスで取り付ける方法が考えられる。
【００１４】
なお、本実施形態では、表示装置１の表示面の長辺方向をＸ方向、表示面の短辺方向をＹ方向、表示装置１において表示される方向、すなわち表示面に垂直な方向をＺ方向とする。
【００１５】
〔構造〕
次に、図３および図４を参照して表示装置１の構造について説明する。図３は、表示装置１の構造を示す分解図であり、図４は、表示装置１をＸ方向から見た断面図である。
【００１６】
図３に示すように、表示装置１は、前面から前面パネル１１、枠体１３、スペーサ１４、透明パネル１５、液晶モジュール（映像表示ユニット）１６、および筐体１７がこの順で組み合わされている。また、前面パネル１１と枠体１３とは両面テープ１２で取り付けられている。スペーサ１４は、枠体１３および透明パネル１５の周囲に設けられており、前面パネル１１、枠体１３、スペーサ１４、および透明パネル１５により前面パネル１１と透明パネル１５との間に空間１０が形成されている。
【００１７】
前面パネル１１および透明パネル１５は、透明の樹脂（例えば、ポリカーボネート）で生成されており、液晶モジュール１６で表示される映像が、透明パネル１５および前面パネル１１を介してユーザに視認されることになる。
【００１８】
図４に示すように、表示装置１の断面をＸ方向から見ると、前面パネル１１と透明パネル１５との間に、前面パネル１１、枠体１３、スペーサ１４、および透明パネル１５により空間１０が形成されることが分かる。
【００１９】
以上のように、本実施形態に係る表示装置１は、前面パネル１１、透明パネル１５、液晶モジュール１６がこの順で配置され、液晶モジュール１６の画面を前面パネル１１および透明パネル１５を通して視認可能な表示装置１であって、前面パネル１１と透明パネル１５との間に空間１０が形成されるとともに、空間１０の一部に隙間が設けられることにより、空間１０の内部と外部とが通気可能となっている。
【００２０】
〔スペーサ〕
次に、図５を参照して、スペーサ１４の詳細について説明する。図５は、枠体１３を前面パネル１１側から見た図である。図５に示すように、スペーサ１４は、枠体１３の透明パネル１５側の周囲に設けられている。ただし、スペーサ１４は、枠体１３の周囲を完全には覆っておらず、４隅（角部）には間隔（隙間）が設けられている。また、枠体１３の４隅には、凹部１３１が設けられている。これにより、前面パネル１１、枠体１３、スペーサ１４、および透明パネル１５とで形成される空間１０は、完全な密閉空間とはならず、当該間隔により、表示装置１の内部で、空間１０の外部と通気可能となる。
【００２１】
これにより、空間１０の内部と外部とで温度差や気圧差が生じてしまうことを抑制することができる。よって、空間１０の内部と外部とで温度差や気圧差が生じることによる弊害、例えば、透明パネル１５が温度差や気圧差によって湾曲し、前面パネル１１や液晶モジュール１６に接触してニュートンリング等を発生させてしまうということを抑制することができる。
【００２２】
また、前面パネル１１と透明パネル１５とで空間１０を形成することにより、透明パネル１５に結露が生じることを抑制することができ、いわゆる、表示装置１の画面が曇ってしまうことを抑制することができる。
【００２３】
また、前面パネル１１と透明パネル１５とで空間１０を形成する際、前面パネル１１或いは透明パネル１５にスペーサ１４に代わる突起があってもよい。スペーサ１４を用いないことで、落下振動等による、スペーサ１４のずれ、移動による信頼性の低下を防ぐことができる。
【００２４】
〔スペーサの取付例〕
次に、図６を参照して、スペーサ１４の取付例について説明する。図６の（ａ）〜（ｄ）は、スペーサ１４の取付例を示す図である。スペーサ１４は、枠体１３および透明パネル１５の周囲を完全に覆わず、一部でも間隔が設けられていればよい。一部でも間隔が設けられていれば、当該間隔から空間１０の内部と外部とで通気可能となるためである。
【００２５】
そこで、スペーサ１４の間隔は、図６の（ａ）に示すように、透明パネル１５の下部側（−Ｙ方向側）の辺の一部に１つ、間隔が設けられているものでもよい。また、図６の（ｂ）に示すように、透明パネル１５の４隅のうちの１つにスペーサ１４の間隔が設けられているものであってもよい。このような構成とすることで、隙間を辺の中央部分に設けるよりも、透明パネル１５の平坦度を保つことができる。
【００２６】
また、図６の（ｃ）に示すように、透明パネル１５の上部側（＋Ｙ方向側）と下部側のそれぞれの辺に１つ、間隔が設けられているものであってもよい。このような構成とすることで、空気の流入、流出をスムーズにすることができる。
【００２７】
また、図６の（ｄ）に示すように、透明パネル１５の４隅にそれぞれ間隔が設けられているものであってもよい。このような構成とすることで、空気の流入、流出をスムーズにすることができ、隙間を辺の中央部分に設けるよりも透明パネル１５の平坦度を保つことができる。また、スペーサの形状を４つの同一形状とすることができる製造時の部品管理が容易になる。
【００２８】
以上のように隙間は、複数個所に設けられていてもよい。また、前面パネル１１および透明パネル１５は矩形であり、隙間は当該矩形の角部に設けられていてもよい。さらに、隙間は、矩形の４隅に設けられていてもよい。
【００２９】
また、上述したように空間１０は、スペーサ１４を含まずに前面パネル１１および透明パネル１５により形成されてもよいし、前面パネル１１、スペーサ１４、および透明パネル１５により形成されてもよい。
【００３０】
〔スペーサの特徴〕
次に、図７および図８を参照して、スペーサ１４の特徴に説明する。図７の（ａ）、（ｂ）は、スペーサ１４の特徴、およびその効果を説明するための図である。図７の（ａ）に示すように、スペーサ１４は、透明パネル１５の周囲に取り付けられているが、透明パネル１５の上部側（＋Ｙ方向側）の辺に沿って取り付けられているスペーサ１４は粘着性を有しており（スペーサ１４ａ）、それ以外の辺に沿って取り付けられているスペーサ１４は非粘着性であってもよい（スペーサ１４ｂ）。
【００３１】
これにより、図７の（ｂ）に示すように、何らかの理由により透明パネル１５に多少の膨張収縮が生じたとしても、スペーサ１４によって透明パネル１５が湾曲してしまうことを抑制することができる。透明パネル１５の短辺方向の辺に沿って配置されているスペーサ１４ｂ、および下部側の辺に沿って配置されているスペーサ１４ｂは非粘着性であり、透明パネル１５が膨張したとしても、スペーサ１４ｂによって固定されることで、透明パネル１５がスペーサ１４ｂに対して摺動することにより膨張する力が透明パネル１５を彎曲させる方向に働きにくくなるためである。
【００３２】
また、透明パネル１５は、透明性の樹脂で形成されており、樹脂は製造工程上、湾曲し易い方向と有している。本実施形態では、透明パネル１５の湾曲しやすい方向が前面パネル１１側となるように透明パネル１５を配置している。これにより、仮に透明パネル１５が湾曲したとしても、透明パネル１５と液晶モジュール１６とが接触してしまうことを抑制することができる。
【００３３】
図８を参照して説明する。図８の（ａ）、（ｂ）は、透明パネル１５が湾曲し易い方向と透明パネル１５の設置方向とを説明するための図である。図８の（ａ）、（ｂ）に示すように、本実施形態では、透明パネル１５の湾曲し易い方向が前面パネル１１の方向となるように（図８の（ｂ））、透明パネル１５を配置する。これにより、図８の（ｂ）に示すように、仮に透明パネル１５が湾曲したとしても、透明パネル１５は液晶モジュール１６からは離れる方向に湾曲することになり、透明パネル１５と液晶モジュール１６との接触を抑制することができる。
【００３４】
以上のように、スペーサ１４の一部は粘着性を有していてもよく、スペーサ１４は、透明パネル１５の辺に沿って配置されており、４辺のうちの１辺に沿って配置されているスペーサ１４のみ粘着性を有していてもよい。
【００３５】
ここでいう粘着性とは、接着とは異なり、スペーサ１４と透明パネル１５が密着されるが、スペーサ１４から透明パネル１５を容易にはがすことができる特性でもよい。このような特性によって、製造時に、リペア等が容易にでき好適である。
【００３６】
また、透明パネル１５は、所定の方向に湾曲し易い性質を有しており、透明パネル１５は、湾曲により凸形状となる方向が前面パネル１１側となるように配置されている。
【００３７】
〔表示装置の取付方法〕
次に、図９〜図１４を参照して、表示装置１を壁に取り付ける方法について説明する。図９は、壁に固定されるベース板２０、および表示装置１の後面を示す斜視図である。詳細は後述するが、図９に示すように、表示装置１の背面に設けられた凹部と、ベース板２０に設けられた突出形状とが係合することにより、表示装置１とベース板２０とが係合し、これにより、表示装置１は壁に固定することができる。
【００３８】
まず、図１０を参照して、ベース板２０に設けられた突出形状である係合形状（突出部）２１について説明する。図１０は、図９に示すベース板２０のＸで示す領域を＋Ｚ方向から見た図である。
【００３９】
図１０に示すように、ベース板２０の下部側（−Ｙ方向側）には、表示装置１方向側に突出した係合形状２１が設けられている。さらに、係合形状２１には、プラスＹ方向に突出したベース板側凸部２２が２つ設けられている。ベース板側凸部２２は、Ｘ方向が長手方向となるような略直方体形状で＋Ｙ方向に突出している形状である。また、ベース板側凸部２２は、係合形状２１の＋Ｚ方向側（表示装置１側）に設けられている。
【００４０】
次に、図１１を参照して、筐体１７の凹部１７０に設けられる係合部（取付部）１７１について説明する。係合部１７１は、凹部１７０に取り付けられている。図１１に示すように、係合部１７１は、Ｘ方向から見ると逆Ｌ字型の形状であり、表示装置１がベース板２０に取り付けられるときに、係合形状２１と係合するようになっている。また、係合部１７１の下側（−Ｙ方向側）には、筐体側凸部（表示装置側凸部）１７２が２つ設けられている。筐体側凸部１７２は、略円柱形状であり、ベース板側凸部２２と対応する位置に設けられており、表示装置１がベース板２０に取り付けられる際に、表示装置１がベース板２０に仮置きされたとき、筐体側凸部１７２とベース板側凸部２２とが引っ掛ることにより、表示装置１がベース板２０から離れる方向に滑らないようにすることができる。
なお、本実施形態では、ベース板側凸部２２および筐体側凸部１７２ともに２つずつ設ける構成としたが、これに限られるものではない。１つであってもよいし、３つ以上の複数であってもよい。
【００４１】
また、筐体側凸部１７２は、略円柱形状、ベース板側凸部２２は、略直方体形状としたが、それぞれ、引っ掛る構造とすることができればよく、略円柱形状であってもよいし、略直方体形状であってもよい。
【００４２】
より詳細に、図１２および図１３を参照して説明する。図１２は、係合部１７１および係合形状２１の形状を説明するための図である。図１２に示すように、Ｘ方向から見た場合、係合部１７１およびベース板側凸部２２はともに、逆Ｌ字状で縦の部分がＺ方向に若干向いた形状である。そして、係合部１７１の下側には、Ｚ方向で、係合部１７１の中央より＋Ｚ方向側に、筐体側凸部１７２が設けられ、係合形状２１の上側には、＋Ｚ方向側の辺の近傍にベース板側凸部２２が設けられている。
【００４３】
図１３の（ａ）に示すように、仮に筐体側凸部１７２およびベース板側凸部２２が設けられていなかった場合、表示装置の係合部３０２は、ベース板の係合形状３０１に単にのるだけとなり、表示装置の方向に非常に滑り易い構造となる。このため、表示装置をベース板に固定するために、仮置き状態とした場合、仮置きした状態から表示装置が滑り易いため、取り付け作業が困難になってしまう。
【００４４】
これに対し、図１３の（ｂ）に示すように、筐体側凸部１７２およびベース板側凸部２２が設けられていれば、表示装置１がベース板２０に仮置きされた状態で、筐体側凸部１７２とベース板側凸部２２とが引っ掛るため、表示装置１がベース板２０から離れる方向に滑りにくい構造となる。よって、表示装置１がベース板２０に仮置きされた状態から、表示装置１が滑ることがほぼ無いため、その後の取り付け作業を容易に行うことができる。
【００４５】
なお、仮置きとは、表示装置１をベース板２０に取り付ける際、表示装置１の下側がベース板２０に接触している状態、より詳細には、表示装置１の凹部１７０がベース板２０の係合形状２１に乗っている状態で、表示装置１の上側がベース板２０から少し離れている状態を言う。表示装置１をベース板２０の取り付ける場合、まず、表示装置１の下側をベース板２０に係合させ、その後、表示装置１の上側をベース板２０に嵌めることになるため、表示装置１の下側がベース板２０の係合形状２１に乗っている状態で、表示装置１の上側がベース板２０から離れている状態（仮置き状態）が生じる。
【００４６】
また、図１３の（ｃ）に示すように、表示装置１がベース板２０に本留めする場合、筐体側凸部１７２およびベース板側凸部２２は、相互に若干ずれた位置に配置されているため、本留めの邪魔になることもない。
【００４７】
以上のように、本実施形態に係る表示装置１の取付構造は、表示装置１と、壁面に固定されるベース板２０と、を含み、表示装置１の背面下部には凹部１７０が設けられているとともに、凹部１７０には係合部１７１が取付けられており、ベース板２０には、凹部１７０と係合する位置に係合形状２１が設けられており、係合部１７１には、凹部１７０に取り付けられたときに下側となる方向に筐体側凸部１７２が設けられるとともに、係合形状２１の上側にベース板側凸部２２が設けられ、表示装置１の下部とベース板２０の下部とが係合したときに、筐体側凸部１７２とベース板側凸部２２とにより表示装置１がベース板２０に掛止されるものである。
【００４８】
次に、図１４を参照して、ベース板側凸部２２の長手方向の長さについて説明する。図１４は、ベース板側凸部２２の長手方向の長さについて説明するための図である。図１４に示すように、凹部１７０の幅（Ｘ方向の長さ）Ｄは、係合形状２１の幅（Ｘ方向の長さ）ｄよりも若干長い（Ｄ＞ｄ）。よって、表示装置１をベース板２０に取り付ける場合、表示装置１をベース板２０に仮置きしても、Ｄ−ｄの長さの分だけ、表示装置１はＸ方向に動くことになる（いわゆる「あそび」）。本実施形態のベース板側凸部２２の長手方向の長さは、この「あそび」の分、すなわちＤ−ｄと略同じか、Ｄ−ｄよりも若干長めとなっている。これにより、表示装置１が「あそび」の分だけＸ方向にずれたとしても、筐体側凸部１７２とベース板側凸部２２との引っかかりがなくなってしまうことは無く、確実に表示装置１がベース板２０から離れる方向に滑ってしまうことを抑制することができる。
【００４９】
〔まとめ〕
本発明の態様１に係る表示装置は、前面パネル、スペーサ、透明パネル、映像表示ユニットがこの順で配置され、前記映像表示ユニットの画面を前記前面パネルおよび前記透明パネルを通して視認可能な表示装置であって、前記スペーサが前記透明パネルの周囲に配置されることにより、前記前面パネル、前記スペーサ、および前記透明パネルにより空間が形成されるとともに、前記スペーサの一部に、当該スペーサ同士が接続していない隙間が設けられることにより、前記空間の内部と外部とが通気可能となっていることを特徴としている。
【００５０】
上記の構成によれば、前面パネルと透明パネルとで形成される空間が完全な密閉空間とはならないので、空間の内外で、温度差、気圧差が生じにくい。したがって、空間の内外で温度差、気圧差が生じることにより透明パネルが撓むということを抑制でき、透明パネルが撓むことによる弊害、例えば、映像表示ユニットと透明パネルとが接触し、ニュートンリングが生じてしまう等の弊害を抑制することができる。
【００５１】
本発明の態様２に係る表示装置は、上記態様１において、前記隙間は、前記スペーサの複数個所に設けられているものであってもよい。
【００５２】
上記の構成によれば、空間内外の通気がより容易になるので、空間内外の温度差、気圧差をより小さくすることができる。
【００５３】
本発明の態様３に係る表示装置は、上記態様１または２において、前記透明パネルおよび前記前面パネルは矩形であり、前記スペーサは、前記透明パネルの辺に沿って配置されるとともに、前記隙間は当該矩形の角部に設けられているものであってもよい。
【００５４】
上記の構成によれば、スペーサを容易に配置できるとともに、隙間を容易に形成できる。
【００５５】
本発明の態様４に係る表示装置は、上記態様３において、前記スペーサの前記隙間は、前記矩形の４隅に設けられているものであってもよい。
【００５６】
上記の構成によれば、スペーサを容易に配置できるとともに、隙間を容易に形成できる。
【００５７】
本発明の態様５に係る表示装置は、上記態様４において、前記スペーサの一部は粘着性を有するものであってもよい。
【００５８】
上記の構成によれば、スペーサと透明パネルとは一部のみが粘着しているのみなので、透明パネルが膨張、収縮した場合でも、透明パネルが湾曲してしまうことを抑制することができる。
【００５９】
本発明の態様６に係る表示装置は、上記態様５において、前記透明パネルおよび前記前面パネルは矩形であり、前記スペーサは、前記透明パネルの辺に沿って配置されており、４辺のうちの１辺に沿って配置されている前記スペーサのみ粘着性を有するものであってもよい。
【００６０】
上記の構成によれば、スペーサと透明パネルとは一辺で粘着しているのみなので、透明パネルが膨張、収縮した場合でも、透明パネルが湾曲してしまうことを抑制することができる。
【００６１】
本発明の態様７に係る表示装置は、上記態様１〜６の何れかにおいて、前記透明パネルは、所定の方向に湾曲し易い性質を有しており、前記透明パネルは、前記湾曲により凸形状となる方向が前記前面パネル側となるように配置されているものであってもよい。
【００６２】
上記の構成によれば、仮に透明パネルが湾曲したとしても、その湾曲方向は前面パネル側となる。よって、透明パネルが湾曲したとしても透明パネルと映像表示ユニットとが接触してしまう可能性を低くすることができる。これにより、透明パネルと映像表示ユニットとが接触してニュートンリングが発生してしまう可能性を下げることができる。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６４】
１  表示装置
１０  空間
１１  前面パネル
１２  両面テープ
１３  枠体
１４  スペーサ
１４ａ  スペーサ（粘着性）
１４ｂ  スペーサ（非粘着性）
１５  透明パネル
１６  液晶モジュール（映像表示ユニット）
１７  筐体
２０  ベース板
２１  係合形状（突出部）
２２  ベース板側凸部
１７０  凹部
１７１  係合部（取付部）
１７２  筐体側凸部（表示装置側凸部）
【図１】
2020160150.tif 000003
【図２】
2020160150.tif 000004
【図３】
2020160150.tif 000005
【図４】
2020160150.tif 000006
【図５】
2020160150.tif 000007
【図６】
2020160150.tif 000008
【図７】
2020160150.tif 000009
【図８】
2020160150.tif 000010
【図９】
2020160150.tif 000011
【図１０】
2020160150.tif 000012
【図１１】
2020160150.tif 000013
【図１２】
2020160150.tif 000014
【図１３】
2020160150.tif 000015
【図１４】
2020160150.tif 000016